(57)【要約】【課題】電気機器収納箱の覆い部材を閉める際に押圧力を受けるパッキンについて、パッキンの反発力を異なるものとすることによって、防塵性能や防水性能を向上させること。【解決手段】開口部２１を備える箱本体２と、開口部２１を覆う覆い部材３と、箱本体２と覆い部材３との間の開口部２１周縁に位置するパッキン４とを備えた電気機器収納箱１であって、開口部の周縁に水切辺１５が設けられており、反発力が異なるパッキンを幅方向に二列になるように形成し、並列配置されたパッキンに対して、水切辺が当接する構成とする。【選択図】図１
2020161826.tif 000002
【特許請求の範囲】
【請求項１】
開口部を備える箱本体と、開口部を覆う覆い部と、箱本体と覆い部材との間の開口部周縁に位置するパッキンとを備えた電気機器収納箱であって、
開口部の周縁に水切辺が設けられており、反発力が異なるパッキンを幅方向に二列になるように形成し、並列配置されたパッキンに対して、水切辺が当接する構成とした電気機器収納箱。
【請求項２】
水切辺とパッキンとの接触箇所において、内方側に設けられたパッキンと外方側に設けられたパッキンとの接触面積の比率を変えて水切辺が当接する構成とした請求項１に記載の電気機器収納箱。
【請求項３】
水切辺と並列配置されたパッキンとの接触箇所において、水切辺は、主として内方側に設けられたパッキンに当接する請求項２に記載の電気機器収納箱。
【請求項４】
水切辺と並列配置されたパッキンとの接触箇所において、水切辺は、主として外方側に設けられたパッキンに当接する請求項２に記載の電気機器収納箱。
【請求項５】
並列配置されたパッキンは複数の辺を備え、前記パッキンが覆い部材にもたらす力は、少なくとも一つの辺の力を、他の辺の力とは異なるものとした請求項２乃至４の何れかに記載の電気機器収納箱。
【請求項６】
箱本体又は覆い部材には、箱本体と覆い部材とを締め付ける締結部を備え、並列配置されたパッキンが覆い部材にもたらす力は、締結部を備える少なくとも一つの辺の力を、他の辺の力とは異なるものとした請求項５に記載の電気機器収納箱。
【発明の詳細な説明】
【技術分野】
【０００１】
本発明は、電気機器収納箱に関するものである。
【背景技術】
【０００２】
特許文献１に記載されているように、電気機器収納箱の箱本体と箱本体の開口部を覆う部材（扉）との隙間を塞ぐためにパッキンを配置し、内部に塵や水などが侵入することを防ぐことが知られている。このような部位で用いられるパッキンは、反発力がすべて均一となるようなものが使用されている。
【先行技術文献】
【特許文献】
【０００３】
【特許文献１】特開２０１４−３６４５４号公報
【０００４】
ところで、防塵性能や防水性能を向上させるためにパッキン全体の反発力を高めると、従来から十分な反発力をもたらしている部位においても反発力を高めることになる。この結果、扉を閉めるときにパッキンを押しつぶすには大きな力が必要になり、開閉作業が行いづらくなる。また、電気機器収納箱が薄い鋼板を用いて構成されている場合には、筐体などが歪んでしまう虞もある。開閉作業の作業性を重視してパッキン全体の反発力を弱めると、扉の締結力が弱い部分から箱本体内に塵や水が侵入する虞がある。
【発明の概要】
【発明が解決しようとする課題】
【０００５】
本件の発明者は、この点について鋭意検討することにより、解決を試みた。本発明の課題は、電気機器収納箱の覆い部材を閉める際に押圧力を受けるパッキンについて、パッキンの反発力を異なるものとすることによって、防塵性能や防水性能を向上させることである。
【課題を解決するための手段】
【０００６】
上記課題を解決するため、次のような手段を採用する。第一の手段は、開口部を備える箱本体と、開口部を覆う覆い部材と、箱本体と覆い部材との間の開口部周縁に位置するパッキンとを備えた電気機器収納箱であって、開口部の周縁に水切辺が設けられており、反発力が異なるパッキンを幅方向に二列になるように形成し、並列配置されたパッキンに対して、水切辺が当接する構成とした電気機器収納箱である。
【０００７】
第一の手段において、水切辺とパッキンとの接触箇所において、内方側に設けられたパッキンと外方側に設けられたパッキンとの接触面積の比率を変えて水切辺が当接する構成とすることが好ましい。
【０００８】
第二の手段において、水切辺と並列配置されたパッキンとの接触箇所において、水切辺は、主として内方側に設けられたパッキンに当接する構成とすることが好ましい。
【０００９】
第二の手段において、水切辺と並列配置されたパッキンとの接触箇所において、水切辺は、主として外方側に設けられたパッキンに当接する構成とすることが好ましい。
【００１０】
第二の手段において、並列配置されたパッキンは複数の辺を備え、前記パッキンが覆い部材にもたらす力は、少なくとも一つの辺の力を、他の辺の力とは異なるものとした構成とすることが好ましい。
【００１１】
第五の手段において、箱本体又は覆い部材には、箱本体と覆い部材とを締め付ける締結部を備え、並列配置されたパッキンが覆い部材にもたらす力は、締結部を備える少なくとも一つの辺の力を、他の辺の力とは異なるものとすることが好ましい。
【発明の効果】
【００１２】
本発明では、電気機器収納箱の覆い部材を閉める際に押圧力を受けるパッキンについて、パッキンの反発力を異なるものとすることによって、防塵性能や防水性能を向上させることが可能となる。
【図面の簡単な説明】
【００１３】
【図１】扉が開いた状態の電気機器収納箱の斜視図である。
【図２】扉が閉じた状態の電気機器収納箱の斜視図である。
【図３】扉に取り付けたパッキンの構成例を示した図である。
【図４】扉に取り付けたパッキンの構成例を示した図である。
【図５】扉に取り付けたパッキンの構成例を示した図である。
【図６】扉に取り付けたパッキンの構成例を示した図である。
【図７】扉に取り付けたパッキンの構成例を示した図である。
【図８】扉に取り付けたパッキンの構成例を示した図である。
【図９】扉に取り付けたパッキンの構成例を示した図である。
【図１０】図９のＸ−Ｘ断面を示した図である。
【図１１】図９のＸＩ−ＸＩ断面を示した図である。
【図１２】図９のＸＩＩ−ＸＩＩ断面を示した図である。
【図１３】パッキンの変形例を示した図である。
【図１４】パッキンの反発力の強弱を図１１と逆転させた状態を示した図である。
【発明を実施するための形態】
【００１４】
以下に発明を実施するための形態を示す。図１乃至図２に示すことから理解されるように、本実施形態の電気機器収納箱１は、開口部２１を備える箱本体２と、開口部２１を覆う覆い部材３と、箱本体２と覆い部材３との間の開口部２１周縁に位置することが可能なパッキン４とを備えている。また、パッキン４は、少なくとも一部の反発力が他の部位の反発力とは異なるものとしている。したがって、パッキン４の反発力の均一性に基づく不具合を解消することが可能となる。また、パッキン４の各部位を適切な反発力とすることで、覆い部材３として形成した扉の開閉の作業性が改善される。なお、少なくともパッキン４の一部が覆い部材３にもたらす力は、パッキン４の他の部位が覆い部材３にもたらす力とは異なるものものとしている。
【００１５】
ここで、パッキン４の反発力を変える具体的な手段の例を説明する。例えば、硬い材質のものと、軟らかい材質のものを使い分けるなど、パッキン４の材質を変えることでパッキン４の反発力は変えることができる。また、ゴム製のパッキン４と、スポンジ製のパッキン４を使い分けるなど、パッキン４の材料を変えることでもパッキン４の反発力を変えることができる。
【００１６】
材質や材料によるものではなく、パッキン４の形態によって反発力を変えることもできる。例えば、パッキン４を中空形状とするのか、中実形状（ソリッド形状）にするのかによって反発力が変わる。また、パッキン４のサイズを変えても反発力を変えることができる。例えば、厚さが厚いものと、薄いものでは反発力が変わる。
【００１７】
パッキン４の反発力を他の箇所と異ならせる手段として、パッキン４として機能する部材の上に部材を貼り付けて重ねたものとしても良い。ただし、この場合は、部材を重ねて貼り付けるという作業が必要となる。同様に、部材の一部に液状物などを塗り付けて固めることにより、所定の部位の反発力を変えるようにすることも可能である。これに対して、パッキン４が一体的に形成されていれば、そのような作業は不要となるため、作業の効率があがる。また、貼り付け箇所のずれなどにより生じ得る防塵性能及び／又は防水性能の製品毎の個体差も抑制されるため、品質を確保しやすくなる。
【００１８】
なお、反発力の異なる部位を組み合わせてパッキン４を設ける場合、反発力の異なる部位を積層させることが考えられる。この場合、積層する部位の比率を変えれば反発力を調整することができる。
【００１９】
パッキン４の反発力を他の箇所と変えるのが好ましい部位としては、図３に示すように、ヒンジ１３やハンドル１２といった締付部の周辺が挙げられる。なお、本実施形態のパッキン４は四辺を備えた矩形状に一体的に形成されているが、図３に黒色で着色した部位と斜線を付した部位では、反発力が異なるように形成されている。図３に示すように、箱本体２と覆い部材３とを締め付ける締付部の周辺に対応するパッキン４の反発力を、他の部位のパッキン４の反発力とは異なるものとすれば、締付力の影響を考慮した構成とすることができ、より好適な電気機器収納箱１とすることが可能となる。
【００２０】
また、パッキン４が概略枠状に形成された場合、図４に示すように、ヒンジ１３やハンドル１２といった締付部が隣接する辺に関し、反発力を他の箇所と変えることが好ましい。なお、パッキン４は四辺を備えた矩形状に一体的に形成されているが、図４に黒色で着色した部位と斜線を付した部位における反発力が異なるように形成されている。このように、複数の辺を備えたパッキン４が、少なくとも一つの辺の反発力を、他の辺の反発力とは異なるものとすれば、各辺に適した反発力を選択することが可能となり、より好適な電気機器収納箱１とすることが可能となる。
【００２１】
また、図５に示すように、枠状のパッキン４のコーナー部に関し、反発力を他の箇所と変えることが好ましい。なお、パッキン４は四辺を備えた矩形状に一体形成されているが、図５に黒色で着色した部位と斜線を付した部位における反発力が異なるように形成されている。
【００２２】
図示はしないが、パッキン４が概略枠状に形成された場合、設置時に上側に位置する辺におけるパッキン４の反発力を他の辺におけるパッキン４の反発力と変えるものとしても良い。水などは、通常、電気機器収納箱１の上部側から侵入してきやすいため、その部分の防水性を高めることで機能性を十分に確保することができる場合がある。
【００２３】
図３乃至図５に示した例においては、一体的に形成された一続きのパッキン４を扉の背面に取り付けているが、別体の部材を互いに接するように配置して封止構造を形成しても良い。また、防塵性及び／又は防水性を確保できる範囲においては、図６に示すように、別体の部材間に隙間を設けた構造とすることも可能である。図６においても黒色で着色した部位と斜線を付した部位における反発力は異なるように形成されている。
【００２４】
ところで、図３乃至図６に示した例においては、パッキン４の反発力が弱い箇所と強い箇所の、２種に分ける構造としている。図３、図４及び図６に示した例においては、ハンドル１２やヒンジ１３といった締付部が隣接する箇所若しくは、当該締付部が隣接する辺においては比較的反発力が弱めに構成し、それ以外の部位においては、パッキン４の反発力が比較的強めとなるように構成している。図５に示す例においては、枠状のパッキン４のコーナー部について、比較的反発力が弱めに構成し、それ以外の部位においては、パッキン４の反発力が比較的強めとなるように構成している。これにより、コーナー部における締付力がやや弱くても開口部２１を閉じた状態とすることができる。なお、図５に示す例においては、止水性を重視して、コーナー部のパッキン４の反発力を他の箇所のパッキン４の反発力よりも強くしても良い。
【００２５】
このようにパッキン４の強弱を２種に分けて構成することにより、不具合を改善することも可能であるが、パッキン４の強弱を３種以上に分けて構成することも可能である。図７及び図８に示す例においては、パッキン４の反発力を３種に分ける構造としている。なお、図７及び図８に示す例においてもパッキン４は四辺を備えた矩形状に一体的に形成されているが、黒色で着色した部位と、斜線を付した部位と、灰色で着色した部位と、における反発力が異なるように形成されている。
【００２６】
図７に示した例においては、ヒンジ１３が隣接する箇所においては、パッキン４の反発力は弱く構成し、ハンドル１２が隣接する箇所におけるパッキン４の反発力はそれよりも強く構成している。また、それ以外の部位におけるパッキン４の反発力は更に強く構成している。これは、締付力に対応させた構成である。締付力は、ヒンジ１３周りに最も働き、ハンドル１２周り、その他の部位の順に弱くなっていく。締付力の働きにくい箇所においてパッキン４の反発力を高め、逆に締付力の働きやすい箇所においてはパッキン４の反発力を抑えることで、扉の開閉操作と防塵性及び／又は防水性の両立を高めている。
【００２７】
同様に図８に示す例においては、ヒンジ１３が隣接する辺においては、パッキン４の反発力は弱く構成し、ハンドル１２が隣接する辺におけるパッキン４の反発力はそれよりも強く構成している。また、それ以外の辺におけるパッキン４の反発力は更に強く構成している。
【００２８】
図３乃至図８に示す例においては、パッキン４の反発力は幅方向においては概略同一であり、長手方向において他所と異なる部位があるように構成している。これに対して図９に示す例においては、長手方向において概略同様に構成しており、幅方向に反発力の異なる部位があるように構成している。
【００２９】
図９に示す例においては、幅方向に二列になるようにパッキン４の反発力が異なる部位を形成している。このパッキン４は水切辺１５に接することが可能な箇所に設けられているが、水切辺１５とパッキン４が接する状態によってパッキン４からもたらされる力が異なるものとなる。この点について、図９乃至図１２に示した例を用いて説明する。なお、図９乃至図１４においては、黒色で着色した部位の方が、着色していない部位よりも反発力が弱くなるように構成されている。
【００３０】
図１０に示すように箱本体２に備えられた水切辺１５が、主として内方側に設けられた比較的反発力の弱い部位に接する場合、覆い部材３にもたらす力は比較的弱くなる。これに対して図１１に示すように、内方側に設けられた部位と外方側に設けられた部位の双方に同等に接する場合、覆い部材３にもたらす力はやや強くなる。更には、図１２に示すように、主として外方側に設けられた比較的反発力の強い部位に接する場合、覆い部材３にもたらす力は図１１に示す例よりも強くなる。つまり、水切辺１５とパッキン４との接触箇所において、反発力の弱い部位と反発力の強い部位との接触面積の比率を変えることで、覆い部材３にもたらす力の調整を行うことができる。また、この接触面積の比率の調整は、パッキン４の貼り付け位置を変えることで行うことができる。このように反発力の異なる部位が並列配置されたパッキン４に対して、開口部２１の周縁に設けられた水切辺１５が当接する構成とすれば、比較的容易に覆い部材３にもたらす力の調整が可能となる。
【００３１】
図１０乃至図１２に示す例においては、パッキン４は断面視半円形状であるが、扉の閉塞時の箱本体２と扉の隙間を埋めることができればどのような形状としても良く、例えば、図１３に示すように断面視四角形状としても良い。また、図１４に示すように、内方側に比較的反発力の強い部位を設け、外方側に比較的反発力の弱い部位を設ける構成とすることも可能である。また、図９乃至図１４に示す例においては、パッキン４の強弱を２種に分けて構成することにより、不具合を改善するものあるが、パッキン４の強弱を３種以上に分けて構成することも可能である。
【００３２】
以上、いくつかの例を中心に実施形態を説明してきたが、本発明は上記実施形態に限定されることはなく、各種の態様とすることが可能である。例えば、パッキンの強弱は実施形態の例とは異なるものとすることも可能である、例えば、実施形態に具体的に記載した強弱関係とは逆の強弱関係とすることも可能である。
【００３３】
また、回動可能な扉を備えた構成とするものではなく、ねじ止めなどがなされる蓋などに適用することも可能である。この場合、ねじ止めする箇所が締結部である。例えば四隅をねじ止めする場合は、この四隅の箇所に対応するパッキンの反発力を他所と異なるものとすることも可能である。
【００３４】
電気機器収納箱は、扉が一つのみのものとするだけではなく、複数の扉を備えたものとすることができる。この場合、パッキンは二つ若しくはそれ以上の扉と箱本体の間の隙間を埋めるように配置するものとすることができる。
【００３５】
パッキンは覆い部材に取り付けたものではなく、箱本体に取り付けるものとしても良い。この際、水切部に取り付けることも可能である。
【符号の説明】
【００３６】
１  電気機器収納箱
２  箱本体
３  覆い部材
４  パッキン
１２  ハンドル
１３  ヒンジ
１５  水切辺
２１  開口部
【図１】
2020161826.tif 000003
【図２】
2020161826.tif 000004
【図３】
2020161826.tif 000005
【図４】
2020161826.tif 000006
【図５】
2020161826.tif 000007
【図６】
2020161826.tif 000008
【図７】
2020161826.tif 000009
【図８】
2020161826.tif 000010
【図９】
2020161826.tif 000011
【図１０】
2020161826.tif 000012
【図１１】
2020161826.tif 000013
【図１２】
2020161826.tif 000014
【図１３】
2020161826.tif 000015
【図１４】
2020161826.tif 000016